(57)【要約】【課題】  従来は記録される動画像信号のファイルは、記録時間が長くなれば容量が大きくなり、編集する際には通常はパソコンなどの大容量の記録媒体を持った機器に記録情報を一旦移して編集を行う必要がある。また、ファイルが壊れた時の被害が大きい。【解決手段】  ＳＤメモリカードへの動画像データの記録が、設定時間情報（ここでは、１０分）だけ継続して行われたかどうか、システムＣＰＵが判定し（ステップＳ５）、記録開始から１０分経過すると、動画ＥＮＣ／ＤＥＣを制御して、ＭＰＥＧ２で規定されているＧＯＰ単位で上記時間情報の１０分間のファイルクローズを行い（ステップＳ６）、ＳＤメモリカードにファイルを作成する（ステップＳ７）。上記の処理は撮影停止操作入力があるまで繰り返されることにより、ＳＤメモリカードには動画像信号が１０分間毎のファイルに分割して複数記録される。１ファイルの容量は小さいので編集が容易となる。【選択図】            図２
2006093986.tif 000002
【特許請求の範囲】
【請求項１】
記録開始時から記録終了時までの期間、撮像された動画像信号を圧縮符号化する符号化手段と、
前記符号化手段により圧縮符号化された動画像信号を、予め設定した時間単位又は容量単位でファイル分割して、記録媒体に記録する記録手段と
を有することを特徴とする動画記録装置。
【請求項２】
前記予め設定した時間単位又は容量単位を任意の値に設定する設定手段を有し、前記記録手段は、前記圧縮符号化された動画像信号をファイル分割して前記記録媒体に記録するに際し、前記設定手段により設定された時間単位又は容量単位毎にファイルクローズした後、次のファイルの記録を開始することを繰り返すことを特徴とする請求項１記載の動画記録装置。
【発明の詳細な説明】
【技術分野】
【０００１】
本発明は動画記録装置に係り、特にレンズから入射した光を電気信号に変換する撮像素子又は外部入力のいずれか、又は両方を兼ね備え、そこから得られた動画像信号を記録媒体に記録する動画記録装置に関する。
【背景技術】
【０００２】
レンズから入射した光を電気信号に変換する撮像素子又は外部入力のいずれか、又は両方を兼ね備え、そこから得られた動画像信号を記録媒体に記録する動画記録装置として、従来より知られているビデオカメラにおいて、動画像を記録した記録媒体の編集作業を行う場合は、その記録媒体よりも大容量の記録媒体を持ったパーソナルコンピュータ（以下、パソコンという）などの機器に一旦移し、そこで編集を行った後にビデオカメラの記録媒体に戻すことが通常行われる。
【０００３】
これは、動画像を記録した記録媒体の編集作業を行う場合、編集対象のファイルと同等の容量の作業領域を同一のメディア内若しくは別にメモリを搭載する必要があるが、モバイル的な使い方をする小型の民生用機器であるビデオカメラでは、大容量の記録媒体を搭載することが難しく、特に記録媒体に長時間連続的に記録した動画像信号の記録ファイルは容量が大きくなり、編集することが困難であるからである。
【０００４】
しかし、大容量の記録媒体を内蔵または装着しなくても、ビデオカメラ内で編集を行いたいという要求がある。また、ビデオカメラの記録媒体とパソコンとの間での記録データファイルの受け渡しの際の、ファイルが壊れるなど不測の事態を最小限に抑えたいからである。
【０００５】
一方、受信される動画像などのデジタル・データ・ストリームをデジタル・ビデオ・ディスクのような記録媒体に、記録集合体単位で区切りながら記録する記録方法が従来より知られている（例えば、特許文献１参照）。この特許文献１記載の記録方法では、上記の記録集合体単位で記録された記録集合体のサーチのための時間情報が、各記録情報単位に対応させて記録される。
【０００６】
【特許文献１】特開２０００−２１５６５１号公報
【発明の開示】
【発明が解決しようとする課題】
【０００７】
しかるに、従来の動画記録装置では、撮影した動画像を記録した記録媒体の編集の際は、前述したようにパソコンの大容量の記録媒体を利用するために、動画記録装置との間での記録ファイルの受け渡しの際に記録ファイルが壊れるなどの不測の事態が発生する場合があり、長時間撮影した動画像の記録ファイルほど被害が大きくなってしまい、また、動画記録装置内の容量の少ない記録媒体において動画編集が容易にできないという問題がある。
【０００８】
一方、特許文献１記載の動画記録方法をビデオカメラのような動画記録装置に適用した場合は、記録媒体に所定の記録集合単位で区切りながら撮影動画像が記録されると共に時間情報も記録され、その時間情報を利用して高速でサーチすることができるだけであり、容量の少ない記録媒体での動画編集が容易にできない。
【０００９】
本発明は以上の点に鑑みなされたもので、容量の少ない記録媒体でも動画編集が容易に行い得るような動画記録を記録媒体に行う動画記録装置を提供することを目的とする。
【００１０】
また、本発明の他の目的は、記録媒体の記録ファイルが壊れるなどの不測の事態による被害を最小限にし得る動画記録装置を提供することにある。
【課題を解決するための手段】
【００１１】
上記の目的を達成するため、第１の発明は、記録開始時から記録終了時までの期間、撮像された動画像信号を圧縮符号化する符号化手段と、符号化手段により圧縮符号化された動画像信号を、予め設定した時間単位又は容量単位でファイル分割して、記録媒体に記録する記録手段とを有することを特徴とする。
【００１２】
この発明では、圧縮符号化された動画像信号は、予め設定した時間単位又は容量単位でファイル分割されて記録媒体に記録されるため、記録時間に依存することなく１ファイル当りの容量を小さくできる。
【００１３】
また、上記の目的を達成するため、第２の発明は、予め設定した時間単位又は容量単位を任意の値に設定する設定手段を有し、記録手段は、圧縮符号化された動画像信号をファイル分割して記録媒体に記録するに際し、設定手段により設定された時間単位又は容量単位毎にファイルクローズした後、次のファイルの記録を開始することを繰り返すことを特徴とする。
【発明の効果】
【００１４】
本発明によれば、圧縮符号化された動画像信号を、予め設定した時間単位又は容量単位でファイル分割して記録媒体に記録することにより、記録時間に依存することなく１ファイル当りの容量を小さくするようにしたため、モバイル的な用途のビデオカメラにおいて動画記録用記録媒体として使用するメモリカード等の低容量記録媒体でも編集作業が容易に行える。
【００１５】
また、本発明によれば、記録媒体には動画像信号が複数のファイルに分割して記録されているため、ファイルが壊れたときの被害を最小限に抑えることができ、また、一度に扱うデータ量が１つの分割ファイル分で少ないため、記録動画像データが扱い易く、更に、頭出しのポイントが増え、見たいところを探し易い。
【発明を実施するための最良の形態】
【００１６】
図１は本発明になる動画記録装置の一実施の形態のブロック図、図２は本発明の動作説明用フローチャートを示す。図１は動画記録装置の一実施の形態のデジタルビデオカメラであり、光学系１でフォーカスやアイリス等が調整されて入射した動きのある被写体からの光は、撮像素子／カメラ制御回路２内の撮像素子の撮像面上で光学像を結像して光電変換され、動画に関する撮像信号とされる。この撮像信号は、撮像素子／カメラ制御回路２内のカメラ制御回路で相関二重サンプリング（ＣＤＳ）によるＳ／Ｎ改善、自動利得制御（ＡＧＣ）による利得調整、Ａ／Ｄ変換によるデジタル変換などの処理が施された後、画像処理回路／ＪＰＥＧ  ＥＮＣ／ＤＥＣ３に供給される。
【００１７】
画像処理回路／ＪＰＥＧ  ＥＮＣ／ＤＳＣ３は、画像処理回路とＪＰＥＧエンコーダ（ＥＮＣ）とＤＳＣ（デジタル・スチル・カメラシステム）とからなり、その画像処理回路において、例えば撮像素子／カメラ制御回路２の出力撮像信号が２ｃｈの画像データの場合は、１枚の画像データに合成したり、撮像素子／カメラ制御回路２に必要なクロックなどを生成した後、そのＪＰＥＧエンコーダ（ＥＮＣ）にてズーム、モザイクなどの電子画像処理を行い、最終的に例えばデジタルビデオカメラ（ＤＶＣ）の規格に合う所定有効画素数の画像サイズを変換した動画像の画像データを出力する。なお、画像処理回路／ＪＰＥＧ  ＥＮＣ／ＤＳＣ３は、シンクロナス・ダイナミック・ランダム・アクセス・メモリ（ＳＤＲＡＭ）４との間で、必要なデータのやり取りを行う。
【００１８】
また、画像処理回路／ＪＰＥＧ  ＥＮＣ／ＤＳＣ３のＪＰＥＧエンコーダ（ＥＮＣ）にて得られた動画像の画像データは、動画ＥＮＣ／ＤＥＣ１１に供給される。動画ＥＮＣ／ＤＥＣ１１は、動画エンコーダ（ＥＮＣ）と動画デコーダ（ＤＥＣ）とからなり、上記の動画像の画像データをそのままアナログインタフェース（Ｉ／Ｆ）７を通して表示デバイス８に供給し、ここで表示させる。外部入出力端子９にモニタ装置が接続されている場合は、そのモニタ装置にも表示させる。
【００１９】
また、上記の動画ＥＮＣ／ＤＥＣ１１の動画ＥＮＣは、上記の動画像の画像データを例えばＭＰＥＧ２の方式で圧縮符号化し、得られた圧縮符号化動画像データを、画像処理回路／ＪＰＥＧ  ＥＮＣ／ＤＳＣ３を通してメモリスロット５に装着されている第１の記録媒体（例えばＳＤメモリカード）に記録する。また、これと同時に、メモリスロット６に装着されている第２の記録媒体に圧縮された動画像データを記録することも可能である。
【００２０】
なお、外部入出力端子９にマイクが接続されている場合は、マイクで収音した音声信号を、上記の圧縮された動画像信号とまとめて１つのファイルとして、メモリスロット５、６にそれぞれ装着されているＳＤメモリカード等に記録することも可能である。
【００２１】
システムＣＰＵ（中央処理装置）１０は、ユーザインタフェース（ＵＩ）１３からの入力データに基づいて、このデジタルビデオカメラの各ブロックへ各種の制御信号を出力する。ＳＤＲＡＭ１２は動画ＥＮＣ／ＤＥＣ１１の動作に必要な作業領域として用いられる。電気的に消去可能な不揮発性メモリであるＥＥＰＲＯＭ１４は、例えば後述する時間情報が予め格納されている。
【００２２】
次に、本実施の形態の動作について、図２のフローチャートを併せ参照して説明する。まず、ビデオカメラの電源をオン（ＯＮ）すると、光学系１から入射した光は、前述したように撮像素子／カメラ制御回路２で撮像信号に変換された後、画像処理回路／ＪＰＥＧ  ＥＮＣ／ＤＳＣ３により画像処理された後、アナログＩ／Ｆ７を経由して表示デバイス８で被写体の動画像が表示される。
【００２３】
この状態で使用者によりＵＩ１３及びシステムＣＰＵ１０を介してＥＥＰＲＯＭ１４に、ファイル化時間情報（１分、５分、１０分又は無制限）が設定される（ステップＳ１）。続いて、使用者により動画のＳＤメモリカードへの記録開始操作を行うと（ステップＳ２）、その操作信号がＵＩ１３を介してシステムＣＰＵ１０に供給される。
【００２４】
これにより、システムＣＰＵ１０は、ＥＥＰＲＯＭ１４に事前に格納されている時間情報（例えば、１０分）を読み出して、内蔵のファイル化時計による計時を開始すると共に（ステップＳ３）、動画ＥＮＣ／ＤＥＣ１１によるＭＰＥＧ２のエンコード動作を開始させ、得られたＭＰＥＧ２で圧縮符号化された動画像データのＳＤメモリカードへの記録を開始させる（ステップＳ４）。
【００２５】
すなわち、動画ＥＮＣ／ＤＥＣ１１は、画像処理回路／ＪＰＥＧ  ＥＮＣ／ＤＳＣ３により画像処理されて取り出された撮影されている動画像データを入力として受け、ＭＰＥＧ２方式で圧縮符号化を開始し、その圧縮符号化された動画像データを画像処理回路／ＪＰＥＧ  ＥＮＣ／ＤＳＣ３内のＤＳＣをそのまま通してメモリスロット５に装着されているＳＤメモリカードに記録させる。なお、ここでは、説明の便宜上、メモリスロット５に装着されているＳＤメモリカードへの記録について説明するが、メモリスロット６に装着されている他の記録媒体への記録も同様にして行うことが可能である。
【００２６】
このＳＤメモリカードへの動画像データの記録が、ＥＥＰＲＯＭ１４から読み出された時間情報（ここでは、１０分）だけ継続して行われたかどうか、システムＣＰＵ１０が判定し（ステップＳ５）、記録開始から１０分経過すると、システムＣＰＵ１０は動画ＥＮＣ／ＤＥＣ１１を制御して、ＭＰＥＧ２で規定されているＧＯＰ（group of picture）単位で上記時間情報の１０分間のファイルクローズを行い（ステップＳ６）、メモリスロット５に装着されているＳＤメモリカードにファイルを作成する（ステップＳ７）。
【００２７】
このファイルは、例えばＳＤ＿ＶＩＤＥＯという名称のフォルダ内に、「ＰＲＧ００１」という名称のファイルの下に、「ＭＯＶ００１．ＭＯＤ」という名称の動画像データ用ファイルと、「ＭＯＶ００１．ＭＯＩ」という名称の管理情報用ファイルとが対で作成される。
【００２８】
上記のファイル作成後に、システムＣＰＵ１０はＵＩ１３から撮影停止操作情報が入力されたかどうかチェックし（ステップＳ８）、撮影停止操作情報が入力されていないときには、ステップＳ３に再び戻って、内蔵の時計にリセットをかけて計時を再び最初から開始する。
【００２９】
このようにして、使用者が撮影停止操作をすることにより、システムＣＰＵ１０がＵＩ１３から撮影停止操作情報が入力されたことを確認するまでは、ステップＳ３からＳ８までの処理が繰り返され、動画ＥＮＣ／ＤＥＣ１１はエンコードを継続し、１０分間毎に撮影動画像の圧縮符号化データがＧＯＰ単位でファイルクローズし、メモリスロット５に装着されているＳＤメモリカードにファイルが作成されていく。
【００３０】
従って、ＳＤメモリカードには、上記のＳＤ＿ＶＩＤＥＯという名称のフォルダ内に、「ＰＲＧ００１」という名称のファイルの下に、「ＭＯＶ００ｉ．ＭＯＤ」という名称の動画像データ用ファイルと、「ＭＯＶ００ｉ．ＭＯＩ」という名称の管理情報用ファイル（ただし、ｉ＝２，３，・・・，ｎ）とが対で順次作成されていく。なお、動画像データ用ファイルと管理情報用ファイルの数が所定数に達した場合は、続いて、次の「ＰＲＧ００２」という名称のファイルの下に、上記と同様にして動画像データ用ファイルと管理情報用ファイルの対が順次作成されていく。
【００３１】
その後、システムＣＰＵ１０がステップＳ８でＵＩ１３から撮影停止操作情報が入力されたことを確認すると、システムＣＰＵ１０は、動画ＥＮＣ／ＤＥＣ１１に動作停止情報を供給して、それまで継続してエンコード動作をしていた動画ＥＮＣ／ＤＥＣ１１のエンコード動作を停止させ、ファイルクローズし、メモリスロット５に装着されているＳＤメモリカードへの書き込みを終了させる（ステップＳ９）。このようにして、メモリスロット５に装着されているＳＤメモリカードには、所望の撮影動画像が連続して、撮影時間に応じた数の小容量のファイルに分割して記録される。
【００３２】
ここで、従来は記録される動画像信号のファイルは、連続した一つのファイルで保存されるため、記録時間が長くなれば、自ずとファイル容量が大きくなり、編集する際にはそれと同等の空き容量を持っている記録媒体を用いないと編集できないことがあり、通常はパソコンなどの大容量の記録媒体を持った機器に記録情報を一旦移して編集を行う必要がある。
【００３３】
しかし、本実施の形態では、使用者の操作により連続的に記録を行うが、ＳＤメモリカード内では、ある一定時間単位に分割してファイル化して記録することにより、１ファイル当りの容量を少なく抑えているため、編集作業を行うときには、ＳＤメモリカード等に別に１ファイルと同等の容量を編集用に用意すればよいので、大容量の記録媒体が不要であり、よって、編集作業がモバイル機器であるデジタルカメラ内で容易に行うことができる。
【００３４】
また、ファイルが分割されているので、ファイルが壊れた時の被害を最小限に抑えることができる。また、一度に扱うデータ量は、１ファイル分であり少ないので、扱い易い。更に、ＳＤメモリカードには複数のファイルが分割して記録されているので、頭出しのポイントが増え、見たいところを探し易いという効果もある。
【００３５】
なお、本発明は上記の実施の形態に限定されるものではなく、例えば、ＥＥＰＲＯＭ１４に記憶するファイルクローズの設定は、上記の実施の形態の１分、５分、１０分といった時間設定のほかに、１Ｍバイト、１０Ｍバイトなどの容量で設定させることも可能であり、また使用者が任意に設定することも可能である。
【図面の簡単な説明】
【００３６】
【図１】本発明の一実施の形態のブロック図である。
【図２】図１の動作説明用フローチャートである。
【符号の説明】
【００３７】
１  光学系
２  撮像素子／カメラ制御回路
３  画像処理回路／ＪＰＥＧ  ＥＮＣ／ＤＳＣ
５、６  メモリスロット
７  アナログインタフェース（Ｉ／Ｆ）
８  表示デバイス
９  外部入出力端子
１０  システムＣＰＵ（中央処理装置）
１１  動画ＥＮＣ／ＤＥＣ
１３  ＵＩ（ユーザインタフェース）
１４  時間情報格納用ＥＥＰＲＯＭ
【図１】
2006093986.tif 000003
【図２】
2006093986.tif 000004